(57)【要約】      （修正有）【課題】効率的に上りリンク送信を実行する。【解決手段】端末装置は、第１のＰＤＣＣＨの検出に基づく第１のトランスポートブロックを含む第１のＰＵＳＣＨ送信が行われる場合、第３のＰＵＳＣＨ送信のための送信電力は、第１のＰＤＣＣＨから得られる第１のMおよび第１のトランスポートブロックのための前記第１のＰＵＳＣＨ送信のためのＳＣ−ＦＤＭＡシンボルの第１の数に少なくとも基づいて与えられる。第１のＰＤＣＣＨの検出に基づく第１のトランスポートブロックを含む第１のＰＵＳＣＨ送信がドロップされる場合、第３のＰＵＳＣＨ送信のための送信電力は、第２のＰＤＣＣＨから得られる第２のMおよび第１のトランスポートブロックのための第２のＰＵＳＣＨ送信のためのＳＣ−ＦＤＭＡシンボルの第２の数に少なくとも基づいて与えられる。【選択図】図４
2019145851.tif 000002
【特許請求の範囲】
【請求項１】
第１の上りリンクグラントを含む第１のＰＤＣＣＨ、第２の上りリンクグラントを含む第２のＰＤＣＣＨ、および、第３の上りリンクグラントを含む第３のＰＤＣＣＨを受信する受信部と、
前記第１のＰＤＣＣＨの検出に基づいて、第１のトランスポートブロックを含む第１のＰＵＳＣＨ送信を行い、
前記第２のＰＤＣＣＨの検出に基づいて、前記第１のトランスポートブロックを含む第２のＰＵＳＣＨ送信を行い、
前記第３のＰＤＣＣＨの検出に基づいて、上りリンク制御情報、および、前記第１のトランスポートブロックを含む第３のＰＵＳＣＨ送信を行う送信部と、を備え、
前記第１のＰＤＣＣＨの検出に基づく前記第１のトランスポートブロックを含む前記第１のＰＵＳＣＨ送信が行われる場合、前記第３のＰＵＳＣＨ送信のための送信電力は、前記第１のＰＤＣＣＨから得られる第１のMPUSCH-initialsc、および、前記第１のトランスポートブロックのための前記第１のＰＵＳＣＨ送信のためのＳＣ−ＦＤＭＡシンボルの第１の数NPUSCH-initialsymbolに少なくとも基づいて与えられ、
前記第１のＰＤＣＣＨの検出に基づく前記第１のトランスポートブロックを含む前記第１のＰＵＳＣＨ送信がドロップされる場合、前記第３のＰＵＳＣＨ送信のための送信電力は、前記第２のＰＤＣＣＨから得られる第２のMPUSCH-initialsc、および、前記第１のトランスポートブロックのための前記第２のＰＵＳＣＨ送信のためのＳＣ−ＦＤＭＡシンボルの第２の数NPUSCH-initialsymbolに少なくとも基づいて与えられる
端末装置。
【請求項２】
前記第１の上りリンクグラントは、初期送信を指示し、
前記第２の上りリンクグラント、および、前記第３の上りリンクグラントは、再送信を指示する
請求項１の端末装置。
【請求項３】
前記第１のＰＤＣＣＨの検出に基づく前記第１のトランスポートブロックを含む前記第１のＰＵＳＣＨ送信は、ＬＢＴ（Listen Before Talk）に基づいてドロップされる
請求項１の端末装置。
【請求項４】
前記第１のＰＤＣＣＨの検出に基づく前記第１のトランスポートブロックを含む前記第１のＰＵＳＣＨ送信は、あるサブフレームにおいて前記第１のＰＵＳＣＨ送信を含む複数のＰＵＳＣＨの推定される送信電力の合計が設定される最大送信電力を超えることに基づいてドロップされる
請求項１の端末装置。
【請求項５】
第１の上りリンクグラントを含む第１のＰＤＣＣＨ、第２の上りリンクグラントを含む第２のＰＤＣＣＨ、および、第３の上りリンクグラントを含む第３のＰＤＣＣＨを受信する受信部と、
前記第１のＰＤＣＣＨに基づいて、第１のトランスポートブロックを含む第１のＰＵＳＣＨの受信を行い、
前記第２のＰＤＣＣＨに基づいて、前記第１のトランスポートブロックを含む第２のＰＵＳＣＨの受信を行い、
前記第３のＰＤＣＣＨに基づいて、上りリンク制御情報、および、前記第１のトランスポートブロックを含む第３のＰＵＳＣＨの受信を行う受信部と、を備え、
前記第１のＰＤＣＣＨに基づく前記第１のトランスポートブロックを含む前記第１のＰＵＳＣＨ送信が行われる場合、前記第３のＰＵＳＣＨ送信のための送信電力は、前記第１のＰＤＣＣＨから得られる第１のMPUSCH-initialsc、および、前記第１のトランスポート
ブロックのための前記第１のＰＵＳＣＨ送信のためのＳＣ−ＦＤＭＡシンボルの第１の数NPUSCH-initialsymbolに少なくとも基づいて与えられ、
前記第１のＰＤＣＣＨの検出に基づく前記第１のトランスポートブロックを含む前記第１のＰＵＳＣＨ送信がドロップされる場合、前記第３のＰＵＳＣＨ送信のための送信電力は、前記第２のＰＤＣＣＨから得られる第２のMPUSCH-initialsc、および、前記第１のトランスポートブロックのための前記第２のＰＵＳＣＨ送信のためのＳＣ−ＦＤＭＡシンボルの第２の数NPUSCH-initialsymbolに少なくとも基づいて与えられる
基地局装置。
【請求項６】
端末装置に用いられる通信方法であって、
第１の上りリンクグラントを含む第１のＰＤＣＣＨ、第２の上りリンクグラントを含む第２のＰＤＣＣＨ、および、第３の上りリンクグラントを含む第３のＰＤＣＣＨを受信し、
前記第１のＰＤＣＣＨの検出に基づいて、第１のトランスポートブロックを含む第１のＰＵＳＣＨ送信を行い、
前記第２のＰＤＣＣＨの検出に基づいて、前記第１のトランスポートブロックを含む第２のＰＵＳＣＨ送信を行い、
前記第３のＰＤＣＣＨの検出に基づいて、上りリンク制御情報、および、前記第１のトランスポートブロックを含む第３のＰＵＳＣＨ送信を行い、
前記第１のＰＤＣＣＨの検出に基づく前記第１のトランスポートブロックを含む前記第１のＰＵＳＣＨ送信が行われる場合、前記第３のＰＵＳＣＨ送信のための送信電力は、前記第１のＰＤＣＣＨから得られる第１のMPUSCH-initialsc、および、前記第１のトランスポートブロックのための前記第１のＰＵＳＣＨ送信のためのＳＣ−ＦＤＭＡシンボルの第１の数NPUSCH-initialsymbolに少なくとも基づいて与えられ、
前記第１のＰＤＣＣＨの検出に基づく前記第１のトランスポートブロックを含む前記第１のＰＵＳＣＨ送信がドロップされる場合、前記第３のＰＵＳＣＨ送信のための送信電力は、前記第２のＰＤＣＣＨから得られる第２のMPUSCH-initialsc、および、前記第１のトランスポートブロックのための前記第２のＰＵＳＣＨ送信のためのＳＣ−ＦＤＭＡシンボルの第２の数NPUSCH-initialsymbolに少なくとも基づいて与えられる
通信方法。
【請求項７】
基地局装置に用いられる通信方法であって、
第１の上りリンクグラントを含む第１のＰＤＣＣＨ、第２の上りリンクグラントを含む第２のＰＤＣＣＨ、および、第３の上りリンクグラントを含む第３のＰＤＣＣＨを受信し、
前記第１のＰＤＣＣＨに基づいて、第１のトランスポートブロックを含む第１のＰＵＳＣＨの受信を行い、
前記第２のＰＤＣＣＨに基づいて、前記第１のトランスポートブロックを含む第２のＰＵＳＣＨの受信を行い、
前記第３のＰＤＣＣＨに基づいて、上りリンク制御情報、および、前記第１のトランスポートブロックを含む第３のＰＵＳＣＨの受信を行い、
前記第１のＰＤＣＣＨに基づく前記第１のトランスポートブロックを含む前記第１のＰＵＳＣＨ送信が行われる場合、前記第３のＰＵＳＣＨ送信のための送信電力は、前記第１のＰＤＣＣＨから得られる第１のMPUSCH-initialsc、および、前記第１のトランスポートブロックのための前記第１のＰＵＳＣＨ送信のためのＳＣ−ＦＤＭＡシンボルの第１の数NPUSCH-initialsymbolに少なくとも基づいて与えられ、
前記第１のＰＤＣＣＨの検出に基づく前記第１のトランスポートブロックを含む前記第１のＰＵＳＣＨ送信がドロップされる場合、前記第３のＰＵＳＣＨ送信のための送信電力は、前記第２のＰＤＣＣＨから得られる第２のMPUSCH-initialsc、および、前記第１のトランスポートブロックのための前記第２のＰＵＳＣＨ送信のためのＳＣ−ＦＤＭＡシンボ
ルの第２の数NPUSCH-initialsymbolに少なくとも基づいて与えられる
通信方法。
【請求項８】
端末装置に実装される集積回路であって、
第１の上りリンクグラントを含む第１のＰＤＣＣＨ、第２の上りリンクグラントを含む第２のＰＤＣＣＨ、および、第３の上りリンクグラントを含む第３のＰＤＣＣＨを受信する受信回路と、
前記第１のＰＤＣＣＨの検出に基づいて、第１のトランスポートブロックを含む第１のＰＵＳＣＨ送信を行い、
前記第２のＰＤＣＣＨの検出に基づいて、前記第１のトランスポートブロックを含む第２のＰＵＳＣＨ送信を行い、
前記第３のＰＤＣＣＨの検出に基づいて、上りリンク制御情報、および、前記第１のトランスポートブロックを含む第３のＰＵＳＣＨ送信を行う送信回路と、を備え、
前記第１のＰＤＣＣＨの検出に基づく前記第１のトランスポートブロックを含む前記第１のＰＵＳＣＨ送信が行われる場合、前記第３のＰＵＳＣＨ送信のための送信電力は、前記第１のＰＤＣＣＨから得られる第１のMPUSCH-initialsc、および、前記第１のトランスポートブロックのための前記第１のＰＵＳＣＨ送信のためのＳＣ−ＦＤＭＡシンボルの第１の数NPUSCH-initialsymbolに少なくとも基づいて与えられ、
前記第１のＰＤＣＣＨの検出に基づく前記第１のトランスポートブロックを含む前記第１のＰＵＳＣＨ送信がドロップされる場合、前記第３のＰＵＳＣＨ送信のための送信電力は、前記第２のＰＤＣＣＨから得られる第２のMPUSCH-initialsc、および、前記第１のトランスポートブロックのための前記第２のＰＵＳＣＨ送信のためのＳＣ−ＦＤＭＡシンボルの第２の数NPUSCH-initialsymbolに少なくとも基づいて与えられる
集積回路。
【請求項９】
基地局装置に実装される集積回路であって、
第１の上りリンクグラントを含む第１のＰＤＣＣＨ、第２の上りリンクグラントを含む第２のＰＤＣＣＨ、および、第３の上りリンクグラントを含む第３のＰＤＣＣＨを受信する受信回路と、
前記第１のＰＤＣＣＨに基づいて、第１のトランスポートブロックを含む第１のＰＵＳＣＨの受信を行い、
前記第２のＰＤＣＣＨに基づいて、前記第１のトランスポートブロックを含む第２のＰＵＳＣＨの受信を行い、
前記第３のＰＤＣＣＨに基づいて、上りリンク制御情報、および、前記第１のトランスポートブロックを含む第３のＰＵＳＣＨの受信を行う受信回路と、を備え、
前記第１のＰＤＣＣＨに基づく前記第１のトランスポートブロックを含む前記第１のＰＵＳＣＨ送信が行われる場合、前記第３のＰＵＳＣＨ送信のための送信電力は、前記第１のＰＤＣＣＨから得られる第１のMPUSCH-initialsc、および、前記第１のトランスポートブロックのための前記第１のＰＵＳＣＨ送信のためのＳＣ−ＦＤＭＡシンボルの第１の数NPUSCH-initialsymbolに少なくとも基づいて与えられ、
前記第１のＰＤＣＣＨの検出に基づく前記第１のトランスポートブロックを含む前記第１のＰＵＳＣＨ送信がドロップされる場合、前記第３のＰＵＳＣＨ送信のための送信電力は、前記第２のＰＤＣＣＨから得られる第２のMPUSCH-initialsc、および、前記第１のトランスポートブロックのための前記第２のＰＵＳＣＨ送信のためのＳＣ−ＦＤＭＡシンボルの第２の数NPUSCH-initialsymbolに少なくとも基づいて与えられる
集積回路。
【発明の詳細な説明】
【技術分野】
【０００１】
本発明は、端末装置、基地局装置、通信方法、および、集積回路に関する。
【背景技術】
【０００２】
セルラー移動通信の無線アクセス方式および無線ネットワーク（以下、「Long Term Evolution （LTE: 登録商標）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、基地局装置をｅＮ
ｏｄｅＢ（evolved NodeB）、端末装置をＵＥ（User Equipment）とも称する。ＬＴＥは
、基地局装置がカバーするエリアをセル状に複数配置するセルラー通信システムである。単一の基地局装置は複数のセルを管理してもよい。
【０００３】
ＬＴＥリリース１３において、端末装置が複数のサービングセル（コンポーネントキャリア）において同時に送信、および／または、受信を行う技術であるキャリアアグリゲーションが仕様化されている（非特許文献１、２、３）。ＬＴＥリリース１４において、ライセンス補助アクセス（LAA: Licensed Assisted Access）の機能拡張、および、アンラ
イセンスバンド（unlicensed band）における上りリンクキャリアを用いたキャリアアグ
リゲーションが検討されている（非特許文献４）。非特許文献５において、基地局装置によるトリガーに基づいて、アンライセンスバンド（unlicensed band）における上りリン
クキャリアに対するＨＡＲＱ−ＡＣＫフィードバックを、ＰＵＳＣＨで送信することが開示されている。
【先行技術文献】
【非特許文献】
【０００４】
【非特許文献１】"3GPP TS 36.211 V13.1.0 (2016-03)", 29th March, 2016.
【非特許文献２】"3GPP TS 36.212 V13.1.0 (2016-03)", 29th March, 2016.
【非特許文献３】"3GPP TS 36.213 V13.1.1 (2016-03)", 31th March, 2016.
【非特許文献４】"New Work Item on enhanced LAA for LTE", RP-152272, Ericsson, Huawei, 3GPP TSG RAN Meeting#70, Sitges, Spain, 7th - 10th December 2015.
【非特許文献５】"UCI transmission on LAA carrier", R1-164994, Sharp, 3GPP TSG RAN1 Meeting#85, Nanjing, China, 23rd - 27th May 2016.
【発明の概要】
【発明が解決しようとする課題】
【０００５】
本発明は、効率的に上りリンク送信を行うことができる端末装置、該端末装置に用いられる通信方法、該端末装置に実装される集積回路、効率的に上りリンク送信の受信を行うことができる基地局装置、該基地局装置に用いられる通信方法、および、該基地局装置に実装される集積回路を提供する。
【課題を解決するための手段】
【０００６】
（１）本発明の態様は、以下のような手段を講じた。すなわち、本発明の第１の態様は、端末装置であって、第１の上りリンクグラントを含む第１のＰＤＣＣＨ、第２の上りリンクグラントを含む第２のＰＤＣＣＨ、および、第３の上りリンクグラントを含む第３のＰＤＣＣＨを受信する受信部と、前記第１のＰＤＣＣＨの検出に基づいて、第１のトランスポートブロックを含む第１のＰＵＳＣＨ送信を行い、前記第２のＰＤＣＣＨの検出に基づいて、前記第１のトランスポートブロックを含む第２のＰＵＳＣＨ送信を行い、前記第３のＰＤＣＣＨの検出に基づいて、上りリンク制御情報、および、前記第１のトランスポ
ートブロックを含む第３のＰＵＳＣＨ送信を行う送信部と、を備え、前記第１のＰＤＣＣＨの検出に基づく前記第１のトランスポートブロックを含む前記第１のＰＵＳＣＨ送信が行われる場合、前記第３のＰＵＳＣＨ送信のための送信電力は、前記第１のＰＤＣＣＨから得られる第１のMPUSCH-initialsc、および、前記第１のトランスポートブロックのための前記第１のＰＵＳＣＨ送信のためのＳＣ−ＦＤＭＡシンボルの第１の数NPUSCH-initialsymbolに少なくとも基づいて与えられ、前記第１のＰＤＣＣＨの検出に基づく前記第１のトランスポートブロックを含む前記第１のＰＵＳＣＨ送信がドロップされる場合、前記第３のＰＵＳＣＨ送信のための送信電力は、前記第２のＰＤＣＣＨから得られる第２のMPUSCH-initialsc、および、前記第１のトランスポートブロックのための前記第２のＰＵＳＣＨ送信のためのＳＣ−ＦＤＭＡシンボルの第２の数NPUSCH-initialsymbolに少なくとも基づいて与えられる。
【０００７】
（２）本発明の第２の態様は、基地局装置であって、第１の上りリンクグラントを含む第１のＰＤＣＣＨ、第２の上りリンクグラントを含む第２のＰＤＣＣＨ、および、第３の上りリンクグラントを含む第３のＰＤＣＣＨを受信する受信部と、前記第１のＰＤＣＣＨに基づいて、第１のトランスポートブロックを含む第１のＰＵＳＣＨの受信を行い、前記第２のＰＤＣＣＨに基づいて、前記第１のトランスポートブロックを含む第２のＰＵＳＣＨの受信を行い、前記第３のＰＤＣＣＨに基づいて、上りリンク制御情報、および、前記第１のトランスポートブロックを含む第３のＰＵＳＣＨの受信を行う受信部と、を備え、前記第１のＰＤＣＣＨに基づく前記第１のトランスポートブロックを含む前記第１のＰＵＳＣＨ送信が行われる場合、前記第３のＰＵＳＣＨ送信のための送信電力は、前記第１のＰＤＣＣＨから得られる第１のMPUSCH-initialsc、および、前記第１のトランスポートブロックのための前記第１のＰＵＳＣＨ送信のためのＳＣ−ＦＤＭＡシンボルの第１の数NPUSCH-initialsymbolに少なくとも基づいて与えられ、前記第１のＰＤＣＣＨの検出に基づく前記第１のトランスポートブロックを含む前記第１のＰＵＳＣＨ送信がドロップされる場合、前記第３のＰＵＳＣＨ送信のための送信電力は、前記第２のＰＤＣＣＨから得られる第２のMPUSCH-initialsc、および、前記第１のトランスポートブロックのための前記第２のＰＵＳＣＨ送信のためのＳＣ−ＦＤＭＡシンボルの第２の数NPUSCH-initialsymbolに少なくとも基づいて与えられる。
【０００８】
（３）本発明の第３の態様は、端末装置に用いられる通信方法であって、第１の上りリンクグラントを含む第１のＰＤＣＣＨ、第２の上りリンクグラントを含む第２のＰＤＣＣＨ、および、第３の上りリンクグラントを含む第３のＰＤＣＣＨを受信し、前記第１のＰＤＣＣＨの検出に基づいて、第１のトランスポートブロックを含む第１のＰＵＳＣＨ送信を行い、前記第２のＰＤＣＣＨの検出に基づいて、前記第１のトランスポートブロックを含む第２のＰＵＳＣＨ送信を行い、前記第３のＰＤＣＣＨの検出に基づいて、上りリンク制御情報、および、前記第１のトランスポートブロックを含む第３のＰＵＳＣＨ送信を行い、前記第１のＰＤＣＣＨの検出に基づく前記第１のトランスポートブロックを含む前記第１のＰＵＳＣＨ送信が行われる場合、前記第３のＰＵＳＣＨ送信のための送信電力は、前記第１のＰＤＣＣＨから得られる第１のMPUSCH-initialsc、および、前記第１のトランスポートブロックのための前記第１のＰＵＳＣＨ送信のためのＳＣ−ＦＤＭＡシンボルの第１の数NPUSCH-initialsymbolに少なくとも基づいて与えられ、前記第１のＰＤＣＣＨの検出に基づく前記第１のトランスポートブロックを含む前記第１のＰＵＳＣＨ送信がドロップされる場合、前記第３のＰＵＳＣＨ送信のための送信電力は、前記第２のＰＤＣＣＨから得られる第２のMPUSCH-initialsc、および、前記第１のトランスポートブロックのための前記第２のＰＵＳＣＨ送信のためのＳＣ−ＦＤＭＡシンボルの第２の数NPUSCH-initialsymbolに少なくとも基づいて与えられる。
【０００９】
（４）本発明の第４の態様は、基地局装置に用いられる通信方法であって、第１の上りリンクグラントを含む第１のＰＤＣＣＨ、第２の上りリンクグラントを含む第２のＰＤＣ
ＣＨ、および、第３の上りリンクグラントを含む第３のＰＤＣＣＨを受信し、前記第１のＰＤＣＣＨに基づいて、第１のトランスポートブロックを含む第１のＰＵＳＣＨの受信を行い、前記第２のＰＤＣＣＨに基づいて、前記第１のトランスポートブロックを含む第２のＰＵＳＣＨの受信を行い、前記第３のＰＤＣＣＨに基づいて、上りリンク制御情報、および、前記第１のトランスポートブロックを含む第３のＰＵＳＣＨの受信を行い、前記第１のＰＤＣＣＨに基づく前記第１のトランスポートブロックを含む前記第１のＰＵＳＣＨ送信が行われる場合、前記第３のＰＵＳＣＨ送信のための送信電力は、前記第１のＰＤＣＣＨから得られる第１のMPUSCH-initialsc、および、前記第１のトランスポートブロックのための前記第１のＰＵＳＣＨ送信のためのＳＣ−ＦＤＭＡシンボルの第１の数NPUSCH-initialsymbolに少なくとも基づいて与えられ、前記第１のＰＤＣＣＨの検出に基づく前記第１のトランスポートブロックを含む前記第１のＰＵＳＣＨ送信がドロップされる場合、前記第３のＰＵＳＣＨ送信のための送信電力は、前記第２のＰＤＣＣＨから得られる第２のMPUSCH-initialsc、および、前記第１のトランスポートブロックのための前記第２のＰＵＳＣＨ送信のためのＳＣ−ＦＤＭＡシンボルの第２の数NPUSCH-initialsymbolに少なくとも基づいて与えられる。
【００１０】
（５）本発明の第５の態様は、端末装置に実装される集積回路であって、第１の上りリンクグラントを含む第１のＰＤＣＣＨ、第２の上りリンクグラントを含む第２のＰＤＣＣＨ、および、第３の上りリンクグラントを含む第３のＰＤＣＣＨを受信する受信回路と、前記第１のＰＤＣＣＨの検出に基づいて、第１のトランスポートブロックを含む第１のＰＵＳＣＨ送信を行い、前記第２のＰＤＣＣＨの検出に基づいて、前記第１のトランスポートブロックを含む第２のＰＵＳＣＨ送信を行い、前記第３のＰＤＣＣＨの検出に基づいて、上りリンク制御情報、および、前記第１のトランスポートブロックを含む第３のＰＵＳＣＨ送信を行う送信回路と、を備え、前記第１のＰＤＣＣＨの検出に基づく前記第１のトランスポートブロックを含む前記第１のＰＵＳＣＨ送信が行われる場合、前記第３のＰＵＳＣＨ送信のための送信電力は、前記第１のＰＤＣＣＨから得られる第１のMPUSCH-initialsc、および、前記第１のトランスポートブロックのための前記第１のＰＵＳＣＨ送信のためのＳＣ−ＦＤＭＡシンボルの第１の数NPUSCH-initialsymbolに少なくとも基づいて与えられ、前記第１のＰＤＣＣＨの検出に基づく前記第１のトランスポートブロックを含む前記第１のＰＵＳＣＨ送信がドロップされる場合、前記第３のＰＵＳＣＨ送信のための送信電力は、前記第２のＰＤＣＣＨから得られる第２のMPUSCH-initialsc、および、前記第１のトランスポートブロックのための前記第２のＰＵＳＣＨ送信のためのＳＣ−ＦＤＭＡシンボルの第２の数NPUSCH-initialsymbolに少なくとも基づいて与えられる。
【００１１】
（６）本発明の第６の態様は、基地局装置に実装される集積回路であって、第１の上りリンクグラントを含む第１のＰＤＣＣＨ、第２の上りリンクグラントを含む第２のＰＤＣＣＨ、および、第３の上りリンクグラントを含む第３のＰＤＣＣＨを受信する受信回路と、前記第１のＰＤＣＣＨに基づいて、第１のトランスポートブロックを含む第１のＰＵＳＣＨの受信を行い、前記第２のＰＤＣＣＨに基づいて、前記第１のトランスポートブロックを含む第２のＰＵＳＣＨの受信を行い、前記第３のＰＤＣＣＨに基づいて、上りリンク制御情報、および、前記第１のトランスポートブロックを含む第３のＰＵＳＣＨの受信を行う受信回路と、を備え、前記第１のＰＤＣＣＨに基づく前記第１のトランスポートブロックを含む前記第１のＰＵＳＣＨ送信が行われる場合、前記第３のＰＵＳＣＨ送信のための送信電力は、前記第１のＰＤＣＣＨから得られる第１のMPUSCH-initialsc、および、前記第１のトランスポートブロックのための前記第１のＰＵＳＣＨ送信のためのＳＣ−ＦＤＭＡシンボルの第１の数NPUSCH-initialsymbolに少なくとも基づいて与えられ、前記第１のＰＤＣＣＨの検出に基づく前記第１のトランスポートブロックを含む前記第１のＰＵＳＣＨ送信がドロップされる場合、前記第３のＰＵＳＣＨ送信のための送信電力は、前記第２のＰＤＣＣＨから得られる第２のMPUSCH-initialsc、および、前記第１のトランスポートブロックのための前記第２のＰＵＳＣＨ送信のためのＳＣ−ＦＤＭＡシンボルの第２の
数NPUSCH-initialsymbolに少なくとも基づいて与えられる。
【発明の効果】
【００１２】
この発明によれば、端末装置は効率的に上りリンク送信を行うことができる。また、基地局装置は効率的に上りリンク送信の受信を行うことができる。
【図面の簡単な説明】
【００１３】
【図１】本実施形態の無線通信システムの概念図である。
【図２】本実施形態の無線フレームの概略構成を示す図である。
【図３】本実施形態における上りリンクスロットの概略構成を示す図である。
【図４】本実施形態の端末装置１の構成を示す概略ブロック図である。
【図５】本実施形態の基地局装置３の構成を示す概略ブロック図である。
【図６】本実施形態における上りリンクデータ（ａｘ）、ＣＱＩ／ＰＭＩ（ｏｘ）、ＲＩ（ａｘ）、および、ＨＡＲＱ−ＡＣＫ（ａｘ）の符号化処理の一例を示す図である。
【図７】本実施形態における符号化ビットの多重・インタリーブの例を示す図である。
【図８】本実施形態におけるＰＵＳＣＨ初期送信、および、イニシャルＰＤＣＣＨの第１の例を示す図である。
【図９】本実施形態におけるＰＵＳＣＨ初期送信、および、イニシャルＰＤＣＣＨの第２の例を示す図である。
【図１０】本実施形態におけるＰＵＳＣＨ初期送信、および、イニシャルＰＤＣＣＨの第３の例を示す図である。
【発明を実施するための形態】
【００１４】
以下、本発明の実施形態について説明する。
【００１５】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。
【００１６】
以下、キャリアアグリゲーションについて説明する。
【００１７】
本実施形態では、端末装置１は、複数のサービングセルが設定される。端末装置１が複数のサービングセルを介して通信する技術をセルアグリゲーション、またはキャリアアグリゲーションと称する。端末装置１に対して設定される複数のサービングセルのそれぞれにおいて、本発明が適用されてもよい。また、設定された複数のサービングセルの一部において、本発明が適用されてもよい。また、設定された複数のサービングセルのグループのそれぞれにおいて、本発明が適用されてもよい。また、設定された複数のサービングセルのグループの一部において、本発明が適用されてもよい。複数のサービングセルは、少なくとも１つのプライマリセルを含む。複数のサービングセルは、１つ、または、複数のセカンダリセルを含んでもよい。複数のサービングセルは、１つ、または、複数のＬＡＡ（Licensed Assisted Access）セルを含んでもよい。ＬＡＡセルを、ＬＡＡセカンダリセルとも称する。
【００１８】
プライマリセルは、初期コネクション確立（initial connection establishment）手順が行なわれたサービングセル、コネクション再確立（connection re-establishment）手
順を開始したサービングセル、または、ハンドオーバ手順においてプライマリセルと指示されたセルである。ＲＲＣ（Radio Resource Control）コネクションが確立された時点、または、後に、セカンダリセル、および／または、ＬＡＡセルが設定されてもよい。プライマリセルは、ライセンスバンド（licensed band）に含まれてもよい。ＬＡＡセルは、
アンライセンスバンド（unlicensed band）に含まれてもよい。セカンダリセルは、ライ
センスバンド、および、アンライセンスバンドの何れに含まれてもよい。ＬＡＡセルを、ＬＡＡセカンダリセルと称してもよい。
【００１９】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００２０】
端末装置１は、複数のサービングセル（コンポーネントキャリア）において同時に複数の物理チャネルでの送信、および／または受信を行うことができる。１つの物理チャネルは、複数のサービングセル（コンポーネントキャリア）のうち１つのサービングセル（コンポーネントキャリア）において送信される。
【００２１】
本実施形態の物理チャネルおよび物理信号について説明する。
【００２２】
図１において、端末装置１から基地局装置３への上りリンクの無線通信では、以下の上りリンク物理チャネルが用いられる。上りリンク物理チャネルは、上位層から出力された情報を送信するために使用される。
・ＰＵＳＣＨ（Physical Uplink Shared Channel）
・ＰＲＡＣＨ（Physical Random Access Channel）
ＰＵＳＣＨは、上りリンクデータ（Transport block, Uplink-Shared Channel: UL-SCH）、下りリンクのＣＳＩ（Channel State Information）、および／または、ＨＡＲＱ−
ＡＣＫ（Hybrid Automatic Repeat reQuest）を送信するために用いられる。ＣＳＩ、お
よび、ＨＡＲＱ−ＡＣＫは、上りリンク制御情報（Uplink Control Information: UCI）
である。
【００２３】
ＣＳＩは、チャネル品質指標（Channel Quality Indicator: CQI）、ＲＩ（Rank Indicator）、および、ＰＭＩ（Precoding Matrix Indicator）を含む。ＣＱＩは、ＰＤＳＣＨで送信される単一のトランスポートブロックに対する、変調方式と符号化率の組合せを表現する。ＲＩは、端末装置１によって決定される有効なレイヤーの数を示す。ＰＭＩは、端末装置１によって決定されるコードブックを示す。該コードブックは、ＰＤＳＣＨのプリコーディングに関連する。
【００２４】
ＨＡＲＱ−ＡＣＫは、下りリンクデータ（Transport block, Medium Access Control Protocol Data Unit: MAC PDU, Downlink-Shared Channel: DL-SCH, Physical Downlink Shared Channel: PDSCH）に対応する。ＨＡＲＱ−ＡＣＫは、ＡＣＫ（acknowledgement）
またはＮＡＣＫ（negative-acknowledgement）を示す。ＨＡＲＱ−ＡＣＫを、ＡＣＫ／ＮＡＣＫ、ＨＡＲＱフィードバック、ＨＡＲＱ応答、ＨＡＲＱ情報、または、ＨＡＲＱ制御情報とも称する。
【００２５】
ＰＲＡＣＨは、ランダムアクセスプリアンブルを送信するために用いられる。
【００２６】
図１において、上りリンクの無線通信では、以下の上りリンク物理シグナルが用いられる。上りリンク物理シグナルは、上位層から出力された情報を送信するために使用されないが、物理層によって使用される。
・ＤＭＲＳ（Demodulation Reference Signal）
ＤＭＲＳは、ＰＵＳＣＨの送信に関連する。ＤＭＲＳは、ＰＵＳＣＨと時間多重される。基地局装置３は、ＰＵＳＣＨの伝搬路補正を行なうためにＤＭＲＳを使用してもよい。
【００２７】
図１において、基地局装置３から端末装置１への下りリンクの無線通信では、以下の下りリンク物理チャネルが用いられる。下りリンク物理チャネルは、上位層から出力された情報を送信するために使用される。
・ＰＤＣＣＨ（Physical Downlink Control Channel）
ＰＤＣＣＨは、下りリンク制御情報（Downlink Control Information: DCI）を送信す
るために用いられる。下りリンク制御情報を、ＤＣＩフォーマットとも称する。下りリンク制御情報は、上りリンクグラント（uplink grant）を含む。上りリンクグラントは、単一のセル内の単一のＰＵＳＣＨのスケジューリングに用いられてもよい。上りリンクグラントは、単一のセル内の連続するサブフレームにおける複数のＰＵＳＣＨのスケジューリングに用いられてもよい。上りリンクグラントは、該上りリンクグラントが送信されたサブフレームより４つ以上後のサブフレーム内の単一のＰＵＳＣＨのスケジューリングに用いられてもよい。
【００２８】
ＵＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。
【００２９】
以下、本実施形態の無線フレーム（radio frame）の構成について説明する。
【００３０】
図２は、本実施形態の無線フレームの概略構成を示す図である。図２において、横軸は時間軸である。無線フレームのそれぞれは、１０ｍｓ長である。また、無線フレームのそれぞれは１０のサブフレームから構成される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。
【００３１】
以下、本実施形態のスロットの構成の一例について説明する。図３は、本実施形態における上りリンクスロットの概略構成を示す図である。図３において、１つのセルにおける上りリンクスロットの構成を示す。図３において、横軸は時間軸であり、縦軸は周波数軸である。図３において、ｌはＳＣ−ＦＤＭＡシンボル番号／インデックスであり、ｋはサブキャリア番号／インデックスである。
【００３２】
スロットのそれぞれにおいて送信される物理シグナルまたは物理チャネルは、リソースグリッドによって表現される。上りリンクにおいて、リソースグリッドは複数のサブキャリアと複数のＳＣ−ＦＤＭＡシンボルによって定義される。リソースグリッド内のエレメントのそれぞれをリソースエレメントと称する。リソースエレメントは、サブキャリア番号／インデックスｋ、および、ＳＣ−ＦＤＭＡシンボル番号／インデックスｌによって表される。
【００３３】
上りリンクスロットは、時間領域において、複数のＳＣ−ＦＤＭＡシンボルｌ（l=0,1,…,NULsymb）を含む。NULsymbは、１つの上りリンクスロットに含まれるＳＣ−ＦＤＭＡ
シンボルの数を示す。上りリンクにおけるノーマルＣＰ（normal Cyclic Prefix）に対して、NULsymbは７である。上りリンクにおける拡張ＣＰ（extended ＣＰ）に対して、NULsymbは６である。
【００３４】
端末装置１は、上りリンクにおけるＣＰ長を示すパラメータUL-CyclicPrefixLengthを
基地局装置３から受信する。基地局装置３は、セルに対応する該パラメータUL-CyclicPrefixLengthを含むシステムインフォメーションを、該セルにおいて報知してもよい。
【００３５】
上りリンクスロットは、周波数領域において、複数のサブキャリアｋ（k=0,1,…,NULRB×NRBsc)を含む。NULRBは、NRBscの倍数によって表現される、サービングセルに対する上りリンク帯域幅設定である。NRBscは、サブキャリアの数によって表現される、周波数領
域における（物理）リソースブロックサイズである。サブキャリア間隔Δfは１５ｋＨｚ
であり、NRBscは１２であってもよい。すなわち、NRBscは、１８０ｋＨｚであってもよい。
【００３６】
リソースブロック（ＲＢ）は、物理チャネルのリソースエレメントへのマッピングを表すために用いられる。リソースブロックは、仮想リソースブロック（ＶＲＢ）と物理リソースブロック（ＰＲＢ）が定義される。物理チャネルは、まず仮想リソースブロックにマップされる。その後、仮想リソースブロックは、物理リソースブロックにマップされる。１つの物理リソースブロックは、時間領域においてNULsymbの連続するＳＣ−ＦＤＭＡシ
ンボルと周波数領域においてNRBscの連続するサブキャリアとから定義される。ゆえに、
１つの物理リソースブロックは（NULsymb×NRBsc）のリソースエレメントから構成される。１つの物理リソースブロックは、時間領域において１つのスロットに対応する。物理リソースブロックは周波数領域において、周波数の低いほうから順に番号nPRB（0,1,…, NULRB-1）が付けられる。
【００３７】
本実施形態における下りリンクのスロットは、複数のＯＦＤＭシンボルを含む。本実施形態における下りリンクのスロットの構成は、リソースグリッドが複数のサブキャリアと複数のＯＦＤＭシンボルによって定義される
点を除いて基本的に同じであるため、下りリンクのスロットの構成の説明は省略する。
【００３８】
以下、本実施形態における装置の構成について説明する。
【００３９】
図４は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベース
バンド部１３を含んで構成される。上位層処理部１４は、媒体アクセス制御層処理部１５、および、無線リソース制御層処理部１６を含んで構成される。無線送受信部１０を送信部、受信部、または、物理層処理部とも称する。
【００４０】
上位層処理部１４は、ユーザの操作等により生成された上りリンクデータ（トランスポートブロック）を、無線送受信部１０に出力する。上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線
リソース制御（Radio Resource Control: RRC）層の処理を行なう。
【００４１】
上位層処理部１４が備える媒体アクセス制御層処理部１５は、媒体アクセス制御層の処理を行う。媒体アクセス制御層処理部１５は、無線リソース制御層処理部１６によって管理されている各種設定情報／パラメータに基づいて、ランダムアクセス手順の制御を行う。
【００４２】
上位層処理部１４が備える無線リソース制御層処理部１６は、無線リソース制御層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。無線リソース制御層処理部３６は、ＰＵＳＣＨに配置
される上りリンクデータ（トランスポートブロック）、ＲＲＣメッセージ、ＭＡＣ  ＣＥ（Control Element）などを生成し、無線送受信部３０に出力する。
【００４３】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。
【００４４】
ＲＦ部１２は、アンテナ部１１を介して受信した信号を、直交復調によりベースバンド信号に変換し（ダウンコンバート: down covert）、不要な周波数成分を除去する。ＲＦ
部１２は、処理をしたアナログ信号をベースバンド部に出力する。
【００４５】
ベースバンド部１３は、ＲＦ部１２から入力されたアナログ信号を、アナログ信号をディジタル信号に変換する。ベースバンド部１３は、変換したディジタル信号からＣＰ（Cyclic Prefix）に相当する部分を除去し、ＣＰを除去した信号に対して高速フーリエ変換
（Fast Fourier Transform: FFT）を行い、周波数領域の信号を抽出する。
【００４６】
ベースバンド部１３は、データを逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【００４７】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【００４８】
図５は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。
【００４９】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００５０】
上位層処理部３４が備える媒体アクセス制御層処理部３５は、媒体アクセス制御層の処理を行う。上位層処理部３４が備える無線リソース制御層処理部３６は、無線リソース制御層の処理を行う。無線リソース制御層処理部３６は、ＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、無線送
受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知
する。
【００５１】
無線送受信部３０の機能は、無線送受信部１０と同様であるため説明を省略する。
【００５２】
端末装置１が備える符号１０から符号１６が付された部のそれぞれは、回路として構成されてもよい。基地局装置３が備える符号３０から符号３６が付された部のそれぞれは、回路として構成されてもよい。
【００５３】
本実施形態において、複数のＬＡＡセルのグループをＵＣＩセルグループと称する。ＵＣＩセルグループに含まれる複数のＬＡＡセルに対するＨＡＲＱ−ＡＣＫは、ＵＣＩセルグループ内の１つ、または、複数のＬＡＡセルにおけるＰＵＳＣＨで送信されてもよい。
【００５４】
プライマリセルは、常にＵＣＩセルグループに含まれない。基地局装置３は、ＬＡＡセルがＵＣＩセルグループに含まれるかどうかを決定してもよい。基地局装置３は、ＬＡＡセルがＵＣＩグループに含まれるかどうかを示す情報／上位層パラメータを、端末装置１に送信してもよい。
【００５５】
ＵＣＩセルグループに含まれるＬＡＡセルに対する上りリンクグラントには、ＣＳＩリクエスト、および、ＨＡＲＱ−ＡＣＫリクエストが含まれてもよい。ＣＳＩリクエストのビットにマップされるフィールドを、ＣＳＩリクエストフィールドとも称する。ＨＡＲＱ−ＡＣＫリクエストのビットにマップされるフィールドを、ＨＡＲＱ−ＡＣＫリクエストフィールドとも称する。
【００５６】
ＵＣＩセルグループに含まれるＬＡＡセルに対する上りリンクグラントに含まれるＨＡＲＱ−ＡＣＫリクエストフィールドがＨＡＲＱ−ＡＣＫ送信をトリガーするようにセットされている場合、端末装置１は、当該ＬＡＡセルにおけるＰＵＳＣＨを用いてＨＡＲＱ−ＡＣＫを送信する。例えば、１ビットのＨＡＲＱ−ＡＣＫリクエストフィールドが‘０’にセットされている場合、ＨＡＲＱ−ＡＣＫの送信がトリガーされなくてもよい。例えば、１ビットのＨＡＲＱ−ＡＣＫリクエストフィールドが‘１’にセットされている場合、ＨＡＲＱ−ＡＣＫの送信がトリガーされてもよい。
【００５７】
ＵＣＩセルグループに含まれるＬＡＡセルに対する上りリンクグラントに含まれるＣＳＩリクエストフィールドがＣＳＩ報告をトリガーするようにセットされている場合、端末装置１は、当該ＬＡＡセルにおけるＰＵＳＣＨを用いＣＳＩ報告を行う。例えば、２ビットのＣＳＩリクエストフィールドが‘００’にセットされている場合、ＣＳＩ報告がトリガーされなくてもよい。例えば、２ビットのＣＳＩリクエストフィールドが‘００’以外の値にセットされている場合、ＣＳＩ報告がトリガーされてもよい。
【００５８】
以下、ＰＵＳＣＨを用いて送信される、上りリンクデータ（ａｘ）、ＣＱＩ／ＰＭＩ（ｏｘ）、ＲＩ（ａｘ）、および、ＨＡＲＱ−ＡＣＫ（ａｘ）の符号化処理について説明する。
【００５９】
図６は、本実施形態における上りリンクデータ（ａｘ）、ＣＱＩ／ＰＭＩ（ｏｘ）、ＲＩ（ａｘ）、および、ＨＡＲＱ−ＡＣＫ（ａｘ）の符号化処理の一例を示す図である。図６の６００から６０３において、ＰＵＳＣＨを用いて送信される、上りリンクデータ、ＣＱＩ／ＰＭＩ、ＲＩ、および、ＨＡＲＱ−ＡＣＫは個別に符号化される。図６の６０４において、上りリンクデータの符号化ビット（ｆｘ）、ＣＱＩ／ＰＭＩの符号化ビット（ｑｘ）、ＲＩの符号化ビット（ｇｘ）、および、ＨＡＲＱ−ＡＣＫの符号化ビット（ｈｘ）は、多重、および、インタリーブされる。図６の６０５において、６０４において多重、および、インタリーブされた符号化ビットから、ベースバンド信号（ＰＵＳＣＨの信号）
を生成する。
【００６０】
符号化ビットの多重・インタリーブには、行列（matrix）が用いられてもよい。行列の列はＳＣ−ＦＤＭＡシンボルに対応している。行列の１つのエレメントは、１つの符号化変調シンボルに対応している。符号化変調シンボルはＸ個の符号化ビットのグループである。Ｘは、ＰＵＳＣＨ（上りリンクデータ）に対する変調次数（modulation order Qm）
である。１つの符号化変調シンボルから、１つの複素数値シンボルが生成される。１つの列にマップされる複数の符号化変調シンボルから生成される複数の複素数値シンボルは、ＤＦＴプリコーディングの後に、ＰＵＳＣＨのために割り当てられてサブキャリアにマップされる。
【００６１】
図７は、本実施形態における符号化ビットの多重・インタリーブの例を示す図である。ＰＵＳＣＨを用いて、ＨＡＲＱ−ＡＣＫ、および、ＲＩが送信される場合、ＨＡＲＱ−ＡＣＫの符号化変調シンボルはインデックス｛２、３、８、９｝の列にマップされ、尚且つ、ＲＩの符号化変調シンボルはインデックス｛１、４、７、１０｝の列にマップされる。
【００６２】
インデックス｛２、３、８、９｝の列は、ＰＵＳＣＨ送信に関連するＤＭＲＳが送信されるＳＣ−ＦＤＭＡシンボルの隣のＳＣ−ＦＤＭＡシンボルに対応する。インデックス２の列に対応するＳＣ−ＦＤＭＡシンボル、および、インデックス３の列に対応するＳＣ−ＦＤＭＡシンボルの間のＳＣ−ＦＤＭＡシンボルにおいてＤＭＲＳが送信される。インデックス８の列に対応するＳＣ−ＦＤＭＡシンボル、および、インデックス９の列に対応するＳＣ−ＦＤＭＡシンボルの間のＳＣ−ＦＤＭＡシンボルにおいてＤＭＲＳが送信される。インデックス｛１、４、７、１０｝の列は、ＰＵＳＣＨ送信に関連するＤＭＲＳが送信されるＳＣ−ＦＤＭＡシンボルの２つ隣のＳＣ−ＦＤＭＡシンボルに対応する。
【００６３】
以下、ＲＩの符号化ビットの数（Ｇ）、および、ＨＡＲＱ−ＡＣＫの符号化ビットの数（Ｈ）の算出方法について説明する。ＲＩの符号化ビットの数（Ｇ）、および、ＨＡＲＱ−ＡＣＫの符号化ビットの数（Ｈ）は、以下の数式（１）、および、数式（２）によって与えられてもよい。尚、本実施形態はＣＱＩ／ＰＭＩに対して適用されてもよい。
【００６４】
【数１】
2019145851.tif 000003
【００６５】
【数２】
2019145851.tif 000004
ｍｉｎ（）は、入力された複数の値のうち最小の値を返す関数である。ｃｅｉｌ（）は、入力された値より大きい、最も小さい整数を返す関数である。ＯはＲＩのビット数、または、ＨＡＲＱ−ＡＣＫのビット数である。ＬはＲＩまたはＨＡＲＱ−ＡＣＫに付加されるＣＲＣパリティビットの数である。Ｃはコードブロックの数である。Ｋｒはコードブロックｒのサイズである。１つのトランスポートブロックを分割することによって、複数のコードブロックが与えられる。
【００６６】
MPUSCH-initialscは、ＰＵＳＣＨ初期送信のためにスケジュールされた帯域幅であり、且つ、同じトランスポートブロックのためのイニシャルＰＤＣＣＨから得られる。MPUSCH-initialscは、サブキャリアの数によって表現されてもよい。NPUSCH-initialsymbolは、同じトランスポートブロックのためのＰＵＳＣＨ初期送信のためのＳＣ−ＦＤＭＡシンボルの数である。ここで、当該同じトランスポートブロックは、ＵＣＩとともにＰＵＳＣＨで送信されるトランスポートブロックである。
【００６７】
βRIoffsetは、以下の要素（１）から（５）の一部、または、全部に少なくとも基づいて与えられてもよい。
■要素（１）：ＰＵＳＣＨが送信されるサービングセルがＵＣＩセルグループに属するかどうか
■要素（２）：ＰＵＳＣＨを用いてＨＡＲＱ−ＡＣＫ送信が行われるかどうか
■要素（３）：ＨＡＲＱ−ＡＣＫリクエストフィールドの値
■要素（４）：ＰＵＳＣＨのためのＳＣ−ＦＤＭＡシンボルの数
■要素（５）：ＲＩの符号化変調シンボルがマップされる列（ＲＩが送信されるＳＣ−ＦＤＭＡシンボル）
βRIoffsetは、基地局装置３から受信した情報／パラメータによって与えられてもよい。端末装置は、上記の要素（１）から（５）の一部、または、全部に少なくとも基づいて
、基地局装置３から受信した情報／パラメータによって与えられる複数のβRIoffsetの中から１つを選択してもよい。
【００６８】
βHARQ-ACKoffsetは、基地局装置３から受信した情報／パラメータによって与えられてもよい。βHARQ-ACKoffsetは、上記の要素（１）とは関係なく与えられてもよい。
【００６９】
以下、サービングセルｃにおけるサブフレームｉにおけるＰＵＳＣＨ送信のための送信電力PPUSCH,c(i)のセッティング方法について説明する。送信電力PPUSCH,c(i)は、以下の数式（３）によって与えられてもよい。
【００７０】
【数３】
2019145851.tif 000005
PCMAX,c(i)は、サービングセルｃにおけるサブフレームｉにおける端末装置１の設定される最大送信電力である。MPUSCH,c(i)は、サービングセルｃにおけるサブフレームｉに
おけるＰＵＳＣＨリソース割り当ての帯域幅である。当該ＰＵＳＣＨリソース割り当て帯域幅は、リソースブロックの数によって表現される。PO_PUSCH,c(j)は、上位層によって
提供される２つのパラメータに基づいて与えられる。αcは、上位層によって与えられる
パラメータによって与えられる。PLcは、端末装置１によって計算される、サービングセ
ルｃのための下りリンクパスロス推定値である。fc(i)は、ＴＰＣコマンドから導き出さ
れる。ＴＰＣコマンドはサービングセルｃのためのＤＣＩフォーマットに含まれていてもよい。数式（３）におけるΔTF,cは、以下の数式（４）によって与えられてもよい。
【００７１】
【数４】
2019145851.tif 000006
Ksは、上位層によって提供されるパラメータによって与えられる。トランスポートブロックを含まないＰＵＳＣＨを介してＵＣＩが送信される場合、βPUSCHoffsetはβCQIoffsetによって与えられる。βCQIoffsetは、基地局装置３から受信した情報／パラメータに
よって与えられてもよい。βCQIoffsetは、上記の要素（１）とは関係なく与えられても
よい。ＰＵＳＣＨを介して少なくともトランスポートブロックが送信される場合、βPUSCHoffsetはは１である。数式（４）におけるＢＰＲＥは、以下の数式（５）によって与え
られる。
【００７２】
【数５】
2019145851.tif 000007
OCQIは、ＣＲＣパリティビットを含むＣＱＩ／ＰＭＩのビット数である。NREは、リソ
ースエレメントの数である。NREは、MPUSCH-initialsc、および、NPUSCH-initialsymbol
の積である。すなわち、ＰＵＳＣＨ送信のための送信電力PPUSCH,c(i)は、MPUSCH-initialsc、および、NPUSCH-initialsymbolに基づいて与えられる。
【００７３】
図８は、本実施形態におけるＰＵＳＣＨ初期送信、および、イニシャルＰＤＣＣＨの第１の例を示す図である。端末装置１は、初期送信を指示する上りリンクグラントを含むＰＤＣＣＨ８００を受信する。端末装置１は、ＰＤＣＣＨ８００の検出に基づいてトランスポートブロックｘを含むＰＵＳＣＨ初期送信８０２を行う。端末装置１は、再送信を指示する上りリンクグラントを含むＰＤＣＣＨ８０４を受信する。ここで、ＰＤＣＣＨ８０４の上りリンクグラントに含まれるＣＳＩリクエストフィールドがＣＳＩ報告をトリガーするようにセットされていてもよい。ＰＤＣＣＨ８０４の上りリンクグラントに含まれるＨＡＲＱ−ＡＣＫリクエストフィールドがＨＡＲＱ−ＡＣＫ送信をトリガーするようにセットされていてもよい。端末装置１は、ＰＤＣＣＨ８０４の検出に基づいて、ＵＣＩ（ＣＱＩ／ＰＭＩ、ＲＩ、および／または、ＨＡＲＱ−ＡＣＫ）および同じトランスポートブロ
ックｘを含むＰＵＳＣＨ再送信８０６を行う。ここで、ＰＤＣＣＨ８００、８０４、および、ＰＵＳＣＨ８０２、８０６は、同じＨＡＲＱプロセスに対応している。
【００７４】
図８において、ＣＱＩ／ＰＭＩの符号化ビットの数Ｑ、ＲＩの符号化ビットの数Ｇ、ＨＡＲＱ−ＡＣＫの符号化ビットの数Ｈ、および、ＰＵＳＣＨ再送信８０６のための送信電力PPUSCH,c(i)は、ＰＵＳＣＨ初期送信８０２のためにスケジュールされた帯域幅であり
、且つ、イニシャルＰＤＣＣＨ８００から得られるMPUSCH-initialsc、および、同じトランスポートブロックｘのためのＰＵＳＣＨ初期送信８０２のためのＳＣ−ＦＤＭＡシンボルの数NPUSCH-initialsymbolに少なくとも基づいて与えられる。
【００７５】
図９は、本実施形態におけるＰＵＳＣＨ初期送信、および、イニシャルＰＤＣＣＨの第２の例を示す図である。基地局装置３は、初期送信を指示する上りリンクグラントを含むＰＤＣＣＨ９００を送信する。しかし、端末装置１はＰＤＣＣＨ９００の検出に失敗することによって、ＰＤＣＣＨ９００に対応するＰＵＳＣＨ送信９０２を行わない。端末装置１は、送信を指示する上りリンクグラントを含むＰＤＣＣＨ９０４を受信する。端末装置１は、ＰＤＣＣＨ９０４の検出に基づいて、トランスポートブロックｘを含むＰＵＳＣＨ送信９０６を行う。端末装置１は、送信を指示する上りリンクグラントを含むＰＤＣＣＨ９０８を受信する。ここで、ＰＤＣＣＨ９０８の上りリンクグラントに含まれるＣＳＩリクエストフィールドがＣＳＩ報告をトリガーするようにセットされていてもよい。ＰＤＣＣＨ９０８の上りリンクグラントに含まれるＨＡＲＱ−ＡＣＫリクエストフィールドがＨＡＲＱ−ＡＣＫ送信をトリガーするようにセットされていてもよい。端末装置１は、ＰＤＣＣＨ９０８の検出に基づいて、ＵＣＩ（ＣＱＩ／ＰＭＩ、ＲＩ、および／または、ＨＡＲＱ−ＡＣＫ）およびトランスポートブロックｘを含むＰＵＳＣＨ送信９１０を行う。ここで、ＰＤＣＣＨ９００、９０４、９０８、および、ＰＵＳＣＨ９０２、９０６、９１０は、同じＨＡＲＱプロセスに対応している。
【００７６】
図９において、ＰＤＣＣＨ１０００に基づくＰＵＳＣＨ初期送信１００２が行われなかった場合、ＣＱＩ／ＰＭＩの符号化ビットの数Ｑ、ＲＩの符号化ビットの数Ｇ、ＨＡＲＱ−ＡＣＫの符号化ビットの数Ｈ、および、ＰＵＳＣＨ再送信９１０のための送信電力PPUSCH,c(i)は、ＰＵＳＣＨ送信９０６のためにスケジュールされた帯域幅であり、且つ、イ
ニシャルＰＤＣＣＨ９０４から得られるMPUSCH-initialsc、および、同じトランスポートブロックｘのためのＰＵＳＣＨ初期送信９０６のためのＳＣ−ＦＤＭＡシンボルの数NPUSCH-initialsymbolに少なくとも基づいて与えられる。
【００７７】
図９において、ＰＤＣＣＨ９００に基づくＰＵＳＣＨ初期送信９０２が行われた場合、ＣＱＩ／ＰＭＩの符号化ビットの数Ｑ、ＲＩの符号化ビットの数Ｇ、ＨＡＲＱ−ＡＣＫの符号化ビットの数Ｈ、および、ＰＵＳＣＨ送信９１０のための送信電力PPUSCH,c(i)は、
ＰＵＳＣＨ初期送信９０２のためにスケジュールされた帯域幅であり、且つ、ＰＤＣＣＨ９００から得られるMPUSCH-initialsc、および、同じトランスポートブロックｘのためのＰＵＳＣＨ初期送信９０２のためのＳＣ−ＦＤＭＡシンボルの数NPUSCH-initialsymbolに少なくとも基づいて与えられてもよい。
【００７８】
図９は、本実施形態におけるＰＵＳＣＨ初期送信、および、イニシャルＰＤＣＣＨの第２の例を示す図である。端末装置１は、初期送信を指示する上りリンクグラントを含むＰＤＣＣＨ１０００を受信する。しかし、端末装置１は、ＰＤＣＣＨ１０００に対応するＰＵＳＣＨ送信１００２を行わない。
【００７９】
例えば、あるサブフレームにおいて、ＰＵＳＣＨ送信１００２を含む複数のＰＵＳＣＨが割り当てられ、複数のＰＵＳＣＨ送信の推定される送信電力の合計が設定される最大送信電力を超える場合、端末装置１はＰＵＳＣＨ送信１００２のための送信電力を０にセッ
トしてもよい、または、ＰＵＳＣＨ送信１００２をドロップしてもよい。例えば、ＰＵＳＣＨ送信１００２に対応するＬＢＴ（Listen Before Talk）の結果がビジー状態である場合、端末装置１は、ＰＵＳＣＨ送信１００２をドロップしてもよい。
【００８０】
ＬＢＴの手順は、端末装置１がサービングセルにおける送信の前にＣＣＡ（Clear Channel Assessment）チェックを適用するメカニズムとして定義される。端末装置１は、サービングセルがアイドル状態かビジー状態かどうかを識別するために、当該サービングセルにおいて他の信号の有無を決定するための電力検出または信号検出を行う。ＣＣＡはキャリアセンスとも呼称される。端末装置１がサービングセル（コンポーネントキャリア、チャネル、媒体、周波数）を用いて物理チャネルおよび物理信号を送信する前に、当該サービングセルにおける干渉電力（干渉信号、受信電力、受信信号、雑音電力、雑音信号）などを測定（検出）する。端末装置１は、当該測定（検出）に基づいて、当該サービングセルがアイドル状態、および、ビジー状態の何れであるかを識別（検出、想定、決定）する。端末装置１が当該測定（検出）に基づいて当該サービングセルはアイドル状態であると識別した場合、無線送受信装置は当該サービングセルにおいて物理チャネルおよび物理信号を送信することができる。端末装置１に基づいて当該サービングセルはビジー状態であると識別した場合、無線送受信装置は当該サービングセルにおいて物理チャネルおよび物理信号を送信しない。
【００８１】
ＰＵＳＣＨ送信１００２のドロップ処理は、無線送受信部１０によって行われてもよい。無線送受信部１０によってＰＵＳＣＨ送信１００２がドロップされる場合、上位層処理部１４はＰＵＳＣＨ送信１００２が実行されたとみなしてもよい。例えば、上位層処理部１４は、ＰＵＳＣＨ送信１００２のためにトランスポートブロックｘを生成してもよい。例えば、ＰＤＣＣＨ１０００に含まれる上りリンクグラントを保持し、当該保持される上りリンクグラントに基づくトランスポートブロックｘの再送信を無線送受信部１０に指示してもよい。
【００８２】
端末装置１は、再送信を指示する上りリンクグラントを含むＰＤＣＣＨ１００４を受信する。端末装置１は、ＰＤＣＣＨ１００４の検出に基づいて、トランスポートブロックｘを含むＰＵＳＣＨ送信１００６を行う。
【００８３】
端末装置１は、再送信を指示する上りリンクグラントを含むＰＤＣＣＨ１００８を受信する。ここで、ＰＤＣＣＨ１００８の上りリンクグラントに含まれるＣＳＩリクエストフィールドがＣＳＩ報告をトリガーするようにセットされていてもよい。ＰＤＣＣＨ１００８の上りリンクグラントに含まれるＨＡＲＱ−ＡＣＫリクエストフィールドがＨＡＲＱ−ＡＣＫ送信をトリガーするようにセットされていてもよい。端末装置１は、ＰＤＣＣＨ１００８の検出に基づいて、ＵＣＩ（ＣＱＩ／ＰＭＩ、ＲＩ、および／または、ＨＡＲＱ−ＡＣＫ）およびトランスポートブロックｘを含むＰＵＳＣＨ送信１０１０を行う。ここで、ＰＤＣＣＨ１０００、１００４、１００８、および、ＰＵＳＣＨ１００２、１００６、１０１０は、同じＨＡＲＱプロセスに対応している。
【００８４】
図１０において、ＣＱＩ／ＰＭＩの符号化ビットの数Ｑ、ＲＩの符号化ビットの数Ｇ、ＨＡＲＱ−ＡＣＫの符号化ビットの数Ｈ、および、ＰＵＳＣＨ再送信１０１０のための送信電力PPUSCH,c(i)は、ＰＵＳＣＨ初期送信１００２のためにスケジュールされた帯域幅
であり、且つ、ＰＤＣＣＨ１０００から得られるMPUSCH-initialsc、および、同じトランスポートブロックｘのためのＰＵＳＣＨ初期送信１００２のためのＳＣ−ＦＤＭＡシンボルの数NPUSCH-initialsymbolに少なくとも基づいて与えられてもよい。
【００８５】
しかし、基地局装置３は、ＰＵＳＣＨ初期送信１００２が行われなかった理由が、（ｉ）端末装置１がイニシャルＰＤＣＣＨ１０００の検出に失敗したからであるか、（ｉｉ）
ＬＢＴの結果がビジー状態であるからか、および、（ｉｉｉ）ＰＵＳＣＨ送信１００２を含む複数のＰＵＳＣＨ送信の推定される送信電力の合計が設定される最大送信電力を超えているからのうちの何れであるかを知ることはできない。ゆえに、ＰＵＳＣＨ初期送信１００２が行われなかった理由によって、ＣＱＩ／ＰＭＩの符号化ビットの数Ｑ、ＲＩの符号化ビットの数Ｇ、ＨＡＲＱ−ＡＣＫの符号化ビットの数Ｈ、および、ＰＵＳＣＨ送信１００６のための送信電力PPUSCH,c(i)が変動することは好ましくない。そこで、図１０に
おいて、ＰＤＣＣＨ１０００の検出が成功裏に完了していたとしても、ＰＤＣＣＨ１０００に基づくＰＵＳＣＨ初期送信１００２が行われなかった場合、ＣＱＩ／ＰＭＩの符号化ビットの数Ｑ、ＲＩの符号化ビットの数Ｇ、ＨＡＲＱ−ＡＣＫの符号化ビットの数Ｈ、および、ＰＵＳＣＨ送信１０１０のための送信電力PPUSCH,c(i)は、ＰＵＳＣＨ再送信１０
０６のためにスケジュールされた帯域幅であり、且つ、ＰＤＣＣＨ１００４から得られるMPUSCH-initialsc、および、同じトランスポートブロックｘのためのＰＵＳＣＨ再送信１００６のためのＳＣ−ＦＤＭＡシンボルの数NPUSCH-initialsymbolに少なくとも基づいて与えられてもよい。これにより、基地局装置３は、端末装置１によってＰＵＳＣＨ初期送信１００２が行われなかった理由を知らなくても、ＰＵＳＣＨ再送信１００６（ＵＣＩ、および、トランスポートブロック）を正しく受信することができる。
【００８６】
図１０において、ＰＤＣＣＨ１０００に基づくＰＵＳＣＨ初期送信１００２が行われた場合、ＣＱＩ／ＰＭＩの符号化ビットの数Ｑ、ＲＩの符号化ビットの数Ｇ、ＨＡＲＱ−ＡＣＫの符号化ビットの数Ｈ、および、ＰＵＳＣＨ送信１０１０のための送信電力PPUSCH,c(i)は、ＰＵＳＣＨ初期送信１００２のためにスケジュールされた帯域幅であり、且つ、
ＰＤＣＣＨ１０００から得られるMPUSCH-initialsc、および、同じトランスポートブロックｘのためのＰＵＳＣＨ初期送信１００２のためのＳＣ−ＦＤＭＡシンボルの数NPUSCH-initialsymbolに少なくとも基づいて与えられてもよい。
【００８７】
以下、本実施形態における、端末装置１および基地局装置３の種々の態様について説明する。
【００８８】
（１）本実施形態の第１の態様は、端末装置１であって、第１の上りリンクグラントを含む第１のＰＤＣＣＨ（９００、１０００）、第２の上りリンクグラントを含む第２のＰＤＣＣＨ（９０４、１００４）、および、第３の上りリンクグラントを含む第３のＰＤＣＣＨ（９０８、１００８）を受信する受信部１０と、前記第１のＰＤＣＣＨ（９００、１０００）の検出に基づいて、第１のトランスポートブロックを含む第１のＰＵＳＣＨ送信（９０２、１００２）を行い、前記第２のＰＤＣＣＨ（９０４、１００４）の検出に基づいて、前記第１のトランスポートブロックを含む第２のＰＵＳＣＨ送信（９０６、１００６）を行い、前記第３のＰＤＣＣＨ（９０８、１００８）の検出に基づいて、上りリンク制御情報、および、前記第１のトランスポートブロックを含む第３のＰＵＳＣＨ送信（９１０、１０１０）を行う送信部１０と、を備え、前記第１のＰＤＣＣＨ（９００、１０００）の検出に基づく前記第１のトランスポートブロックを含む前記第１のＰＵＳＣＨ送信（９０２、１００２）が行われる場合、前記第３のＰＵＳＣＨ送信（９１０、１０１０）に含まれる前記上りリンク制御情報の符号化ビットの数は、前記第１のＰＤＣＣＨ（９００、１０００）から得られる第１のMPUSCH-initialsc、および、前記第１のトランスポートブロックのための前記第１のＰＵＳＣＨ（９０２、１００２）送信のためのＳＣ−ＦＤＭＡシンボルの第１の数NPUSCH-initialsymbolに少なくとも基づいて与えられ、前記第１のＰＤＣＣＨ（９００、１０００）の検出に基づく前記第１のトランスポートブロックを含む前記第１のＰＵＳＣＨ送信（９０２、１００２）がドロップされる場合、前記上りリンク制御情報の符号化ビットの数は、前記第２のＰＤＣＣＨ（９０４、１００４）から得られる第２のMPUSCH-initialsc、および、前記第１のトランスポートブロックのための前記第２のＰＵＳＣＨ送信（９０６、１００６）のためのＳＣ−ＦＤＭＡシンボルの第２の数NPUSCH-initialsymbolに少なくとも基づいて与えられる。
【００８９】
（２）本実施形態の第２の態様は、基地局装置３であって、第１の上りリンクグラントを含む第１のＰＤＣＣＨ（９００、１０００）、第２の上りリンクグラントを含む第２のＰＤＣＣＨ（９０４、１００４）、および、第３の上りリンクグラントを含む第３のＰＤＣＣＨ（９０８、１００８）を送信する送信部３０と、前記第１のＰＤＣＣＨ（９００、１０００）の検出に基づいて、第１のトランスポートブロックを含む第１のＰＵＳＣＨ（９０２、１００２）の受信を行い、前記第２のＰＤＣＣＨ（９０４、１００４）の検出に基づいて、前記第１のトランスポートブロックを含む第２のＰＵＳＣＨ（９０６、１００６）の受信を行い、前記第３のＰＤＣＣＨ（９０８、１００８）の検出に基づいて、上りリンク制御情報、および、前記第１のトランスポートブロックを含む第３のＰＵＳＣＨ（９１０、１０１０）の受信を行う受信部３０と、を備え、前記第１のＰＤＣＣＨ（９００、１０００）の検出に基づく前記第１のトランスポートブロックを含む前記第１のＰＵＳＣＨ送信（９０２、１００２）が行われる場合、前記第３のＰＵＳＣＨ送信（９１０、１０１０）に含まれる前記上りリンク制御情報の符号化ビットの数は、前記第１のＰＤＣＣＨ（９００、１０００）から得られる第１のMPUSCH-initialsc、および、前記第１のトランスポートブロックのための前記第１のＰＵＳＣＨ（９０２、１００２）送信のためのＳＣ−ＦＤＭＡシンボルの第１の数NPUSCH-initialsymbolに少なくとも基づいて与えられ、前記第１のＰＤＣＣＨ（９００、１０００）の検出に基づく前記第１のトランスポートブロックを含む前記第１のＰＵＳＣＨ送信（９０２、１００２）がドロップされる場合、前記上りリンク制御情報の符号化ビットの数は、前記第２のＰＤＣＣＨ（９０４、１００４）から得られる第２のMPUSCH-initialsc、および、前記第１のトランスポートブロックのための前記第２のＰＵＳＣＨ送信（９０６、１００６）のためのＳＣ−ＦＤＭＡシンボルの第２の数NPUSCH-initialsymbolに少なくとも基づいて与えられる。
【００９０】
（３）本実施形態の第３の態様は、端末装置１であって、第１の上りリンクグラントを含む第１のＰＤＣＣＨ（９００、１０００）、第２の上りリンクグラントを含む第２のＰＤＣＣＨ（９０４、１００４）、および、第３の上りリンクグラントを含む第３のＰＤＣＣＨ（９０８、１００８）を受信する受信部１０と、前記第１のＰＤＣＣＨ（９００、１０００）の検出に基づいて、第１のトランスポートブロックを含む第１のＰＵＳＣＨ送信（９０２、１００２）を行い、前記第２のＰＤＣＣＨ（９０４、１００４）の検出に基づいて、前記第１のトランスポートブロックを含む第２のＰＵＳＣＨ送信（９０６、１００６）を行い、前記第３のＰＤＣＣＨ（９０８、１００８）の検出に基づいて、上りリンク制御情報、および、前記第１のトランスポートブロックを含む第３のＰＵＳＣＨ送信（９１０、１０１０）を行う送信部１０と、を備え、前記第１のＰＤＣＣＨ（９００、１０００）の検出に基づく前記第１のトランスポートブロックを含む前記第１のＰＵＳＣＨ送信（９０２、１００２）が行われる場合、前記第３のＰＵＳＣＨ送信のための送信電力は、前記第１のＰＤＣＣＨ（９００、１０００）から得られる第１のMPUSCH-initialsc、および、前記第１のトランスポートブロックのための前記第１のＰＵＳＣＨ（９０２、１００２）送信のためのＳＣ−ＦＤＭＡシンボルの第１の数NPUSCH-initialsymbolに少なくとも基づいて与えられ、前記第１のＰＤＣＣＨ（９００、１０００）の検出に基づく前記第１のトランスポートブロックを含む前記第１のＰＵＳＣＨ送信（９０２、１００２）がドロップされる場合、前記第３のＰＵＳＣＨ送信のための送信電力は、前記第２のＰＤＣＣＨ（９０４、１００４）から得られる第２のMPUSCH-initialsc、および、前記第１のトランスポートブロックのための前記第２のＰＵＳＣＨ送信（９０６、１００６）のためのＳＣ−ＦＤＭＡシンボルの第２の数NPUSCH-initialsymbolに少なくとも基づいて与えられる。
【００９１】
（４）本実施形態の第４の態様は、基地局装置３であって、第１の上りリンクグラントを含む第１のＰＤＣＣＨ（９００、１０００）、第２の上りリンクグラントを含む第２のＰＤＣＣＨ（９０４、１００４）、および、第３の上りリンクグラントを含む第３のＰＤＣＣＨ（９０８、１００８）を送信する送信部３０と、前記第１のＰＤＣＣＨ（９００、
１０００）の検出に基づいて、第１のトランスポートブロックを含む第１のＰＵＳＣＨ（９０２、１００２）の受信を行い、前記第２のＰＤＣＣＨ（９０４、１００４）の検出に基づいて、前記第１のトランスポートブロックを含む第２のＰＵＳＣＨ（９０６、１００６）の受信を行い、前記第３のＰＤＣＣＨ（９０８、１００８）の検出に基づいて、上りリンク制御情報、および、前記第１のトランスポートブロックを含む第３のＰＵＳＣＨ（９１０、１０１０）の受信を行う受信部３０と、を備え、前記第１のＰＤＣＣＨ（９００、１０００）の検出に基づく前記第１のトランスポートブロックを含む前記第１のＰＵＳＣＨ送信（９０２、１００２）が行われる場合、前記第３のＰＵＳＣＨ送信のための送信電力は、前記第１のＰＤＣＣＨ（９００、１０００）から得られる第１のMPUSCH-initialsc、および、前記第１のトランスポートブロックのための前記第１のＰＵＳＣＨ（９０２、１００２）送信のためのＳＣ−ＦＤＭＡシンボルの第１の数NPUSCH-initialsymbolに少なくとも基づいて与えられ、前記第１のＰＤＣＣＨ（９００、１０００）の検出に基づく前記第１のトランスポートブロックを含む前記第１のＰＵＳＣＨ送信（９０２、１００２）がドロップされる場合、前記第３のＰＵＳＣＨ送信のための送信電力は、前記第２のＰＤＣＣＨ（９０４、１００４）から得られる第２のMPUSCH-initialsc、および、前記第１のトランスポートブロックのための前記第２のＰＵＳＣＨ送信（９０６、１００６）のためのＳＣ−ＦＤＭＡシンボルの第２の数NPUSCH-initialsymbolに少なくとも基づいて与えられる。
【００９２】
（５）本実施形態の第１から第４の態様において、前記第１の上りリンクグラントは初期送信を指示し、前記第２の上りリンクグラント、および、前記第３の上りリンクグラントは再送信を指示する。
【００９３】
（６）本実施形態の第１から第４の態様において、前記第２のＰＤＣＣＨが送信されるサブフレームは、前記第１のＰＤＣＣＨが送信されるサブフレームよりも後のサブフレームである。前記第３のＰＤＣＣＨが送信されるサブフレームは、前記第２のＰＤＣＣＨが送信されるサブフレームよりも後のサブフレームである。
【００９４】
（７）本実施形態の第１から第４の態様において、前記第２のＰＵＳＣＨ送信がスケジュールされるサブフレームは、前記第１のＰＵＳＣＨ送信がスケジュールされるサブフレームよりも後のサブフレームである。前記第３のＰＵＳＣＨ送信がスケジュールされるサブフレームは、前記第２のＰＵＳＣＨ送信がスケジュールされるサブフレームよりも後のサブフレームである。
【００９５】
（８）本実施形態の第１から第４の態様において、前記第１のＰＤＣＣＨの検出に基づく前記第１のトランスポートブロックを含む前記第１のＰＵＳＣＨ送信は、ＬＢＴ（Listen Before Talk）に基づいてドロップされる。
【００９６】
（９）本実施形態の第１から第４の態様において、前記第１のＰＤＣＣＨの検出に基づく前記第１のトランスポートブロックを含む前記第１のＰＵＳＣＨ送信は、あるサブフレームにおいて前記第１のＰＵＳＣＨ送信を含む複数のＰＵＳＣＨの推定される送信電力の合計が設定される最大送信電力を超えることに基づいてドロップされる。
【００９７】
これにより、端末装置１は効率的に上りリンク送信を実行することができる。また、基地局装置３は効率的に上りリンク送信の受信を実行することができる。
【００９８】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）
に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【００９９】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１００】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１０１】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１０２】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１０３】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１０４】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１０５】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１０６】
以上、この発明の実施形態に関して図面を参照して詳述してきたが、具体的な構成はこの実施形態に限られるものではなく、この発明の要旨を逸脱しない範囲の設計変更等も含
まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１０７】
１（１Ａ、１Ｂ、１Ｃ）  端末装置
３  基地局装置
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
【図１】
2019145851.tif 000008
【図２】
2019145851.tif 000009
【図３】
2019145851.tif 000010
【図４】
2019145851.tif 000011
【図５】
2019145851.tif 000012
【図６】
2019145851.tif 000013
【図７】
2019145851.tif 000014
【図８】
2019145851.tif 000015
【図９】
2019145851.tif 000016
【図１０】
2019145851.tif 000017